(57)【特許請求の範囲】
【請求項１】
機器に取り付けられ、前記機器を運搬する際に使用される取手装置であって、
細長形状の取手本体と、
前記取手本体を収納位置と使用位置とに回動自在に軸支する保持部材とを有し、
前記取手本体は、回動軸を挟んで一方の端部側に把持部を、もう一方の端部側に、前記取手本体を使用位置としたときに前記保持部材と当接する当接部を有し、
前記取手本体を使用位置としたとき、回動軸を通る前記取手本体の中心線が回動軸を通る水平線に対して下方に傾斜し、
前記当接部が前記取手本体の底面側である取手装置を備えた画像形成装置であって、
前記画像形成装置の本体側面フレームに開口部が形成され、
前記開口部の下面が、前記取手本体の当接部が当接する前記保持部材側の被当接部分の近傍に位置し、前記保持部材の被当接部分の補強および被当接部分が変形したときの予備当接部を果たすことを特徴とする画像形成装置。
【請求項２】
外装側面に、前記取手装置を収納する凹部が形成され、
前記凹部の内壁上面が外側から内側に向かって下方に傾斜した傾斜面とされていることを特徴とする請求項１記載の画像形成装置。
【請求項３】
前記取手装置を左右の側面にそれぞれ２個を備えた画像形成装置であって、
左右の側面に備えられたそれぞれ２個の取手装置の高さ方向の取付位置が、前側の取手装置より後側の取手装置の方が高いことを特徴とする請求項１又は２記載の画像形成装置。
【発明の詳細な説明】
【技術分野】
【０００１】
本発明は取手装置及びそれを備えた画像形成装置に関し、より詳細には回動式の取手装置及びそれを用いた画像形成装置に関するものである。
【背景技術】
【０００２】
従来、画像形成装置などの機器では、新規設置や保守点検、場所の移動などで運搬が必要となることがある。画像形成装置などのように大きく、重量のある機器の場合には、運搬する際に機器に設置された取手を使用して複数人で運搬する。機器に設置される取手には、回動式取手、引き出し式取手、凹型取手等の種類がある。
【０００３】
画像形成装置は近年、小型化・低コスト化が進められている。そのため、運搬時のみに使用する取手装置のスペースを確保する事が難かしくなってきており、より簡素化することが望まれている。さらには、装置小型化を図るために胴内排出を行う画像形成装置においては、用紙搬送側および各種駆動を伝えるユニットが集中する部分に重心が偏る傾向にあり、運搬時の持ち上げ・運搬が安定しにくい構成となっている一方、用紙搬送側に関してはステー部材等での補強がしにくい構成となっている。
【０００４】
従来は取手を水平に保持し、荷重を垂直な方向で受けて取手の変形を抑える構成としていたが、予期せぬ負荷がかかった場合、あるいは荷重による食い込み・部品バラツキ等で水平を保てなくなった場合に、荷重の受ける部分が外側に変形し、取手が当接部から脱落するおそれがあった。また、取手の角度が水平より上側に向くと取手を持つ手が滑りやすくなる。また、取手使用時に荷重の受ける部分が上側の場合、当該部分の外側への変形は抑えられるが、取手を持つ際に手を挟み込む等のおそれがある。
【０００５】
取手装置として、運搬作業性の向上や安全性などの観点から種々の構成が提案されている。例えば、特許文献１では、回転式取手においてバックアップ部材を用いて荷重受け面の変形を防止する構成が提案されている。また、特許文献２では、取手部にかかる荷重に起因した構造体の変形を防止する構成が提案されている。そしてまた、特許文献３では、引き出し式取手において剛性低下の防止、小型化を行うような構成が提案されている。
【先行技術文献】
【特許文献】
【０００６】
【特許文献１】特開２０１１−２５２９８６号公報
【特許文献２】特開２０１０−１０２２９０号公報
【特許文献３】特開２００９−１１６２６９号公報
【発明の概要】
【発明が解決しようとする課題】
【０００７】
しかしながら、前記各提案の構成では、取手収容スペースの確保や補強によるコストアップ等により、装置の小型化・低コスト化が十分に行い得ない。
【０００８】
本発明はこのような従来の問題に鑑みてなされたものであり、機器の運搬用取手装置において簡素な構成で運搬性を向上させ、荷重の受ける部分の変形による不具合を解消することを目的とするものである。
【課題を解決するための手段】
【０００９】
前記目的を達成する本発明に係る取手装置は、機器に取り付けられ、前記機器を運搬する際に使用される取手装置であって、細長形状の取手本体と、前記取手本体を収納位置と使用位置とに回動自在に軸支する保持部材とを有し、前記取手本体は、回動軸を挟んで一方の端部側に把持部を、もう一方の端部側に、前記取手本体を使用位置としたときに前記保持部材と当接する当接部を有し、前記取手本体を使用位置としたとき、回動軸を通る前記取手本体の中心線が回動軸を通る水平線に対して下方に傾斜していることを特徴とする。
【００１０】
前記構成において、より具体的には、前記当接部が前記取手本体の底面側である構成とするのが好ましい。
【００１１】
また、本発明によれば、前記のいずれかに記載の取手装置を備えた画像形成装置であって、前記画像形成装置の本体側面フレームに開口部が形成され、前記開口部の下面が、前記取手本体の当接部が当接する前記保持部材側の被当接部分の近傍に位置し、前記保持部材の被当接部分の補強および被当接部分が変形したときの予備当接部を果たすことを特徴とする画像形成装置が提供される。
【００１２】
そしてまた、本発明によれば、前記のいずれかに記載の取手装置を備えた画像形成装置であって、外装側面に、前記取手装置を収納する凹部が形成され、前記凹部の内壁上面が外側から内側に向かって下方に傾斜した傾斜面とされていることを特徴とする画像形成装置が提供される。
【００１３】
さらに、本発明によれば、前記のいずれかに記載の取手装置を左右の側面にそれぞれ２個を備えた画像形成装置であって、左右の側面に備えられたそれぞれ２個の取手装置の高さ方向の取付位置が、前側の取手装置より後側の取手装置の方が高いことを特徴とする画像形成装置が提供される。
【発明の効果】
【００１４】
本発明の取手装置によれば、機器の運搬時などに取手本体を使用位置としたとき、回動軸を通る取手本体の中心線が回動軸を通る水平線に対して下方に傾斜した状態となるので、取手本体の当接部が当接する被当接部分にかかる荷重負荷の方向が機器の内方となり、被当接部分の変形による取手の脱落が防止される。また、取手本体は機器に向かって上方に傾斜した状態となるので、持ち手が滑っても取手本体から外れにくく機器を安全に運搬する事が出来る。
【図面の簡単な説明】
【００１５】
【図１】本発明に係る画像形成装置の一例を示す概説図である。
【図２】取手装置が側面に設けられた画像形成装置の斜視図である。
【図３】取手装置の装置本体フレームへの取り付けを説明する斜視図である。
【図４】取手本体を使用位置としたときの説明図である。
【図５】取手本体を使用位置としたとき、取手本体の取付状態を示す断面図及び部分拡大断面図である。
【図６】本体側面フレームに外装カバーを取り付けたときの取手装置の斜視図である。
【図７】画像形成装置の一方の側面に設けられた２つの取手装置の高さ位置を示す装置側面図である。
【発明を実施するための形態】
【００１６】
以下、本発明に係る取手装置及び画像形成装置について図に基づいてより詳細に説明するが、本発明はこれらの実施形態に何ら限定されるものではない。また、本明細書における「前後」及び「左右」は図２示す方向をそれぞれ指すものとする。
【００１７】
図１に本発明の画像形成装置の一例を示す概説図を示す。図１に示す画像形成装置は所謂タンデム方式の画像形成装置である。画像形成装置１は、装置本体１ａ内に無端状の中間転写ベルト３０を有する。中間転写ベルト３０は、ローラ３１，３２に張架されている。ローラ３１は不図示のモータに連結されており、モータの駆動によってローラ３１は反時計回りに回転し、これによって中間転写ベルト３０とこれに接するローラ３２は従動回転する。
【００１８】
ローラ３１に支持されているベルト部分の外側には、２次転写ローラ３４が圧接されている。この２次転写ローラ３４と中間転写ベルト３０とのニップ部（２次転写領域）において中間転写ベルト３０上に形成されたトナー画像が、搬送されてきた用紙Ｐに転写される。
【００１９】
ローラ３２に支持されているベルト部分の外側には、中間転写ベルト３０の表面をクリーニングするベルトクリーニング部３５が設けられている。ベルトクリーニング部３５は、中間転写ベルト３０を介してローラ３２に圧接し、中間転写ベルト３０との当接部で未転写の残留トナーを除去・回収する。
【００２０】
中間転写ベルト３０の下側には、中間転写ベルト３０の回転方向上流側から順に、イエロー（Ｙ）、マゼンタ（Ｍ）、シアン（Ｃ）、ブラック（Ｋ）の４つの作像ユニット１０Ｙ，１０Ｍ，１０Ｃ，１０Ｋ（以下、「作像ユニット１０」と総称することがある）が、装置本体１ａに対して着脱自在に配置されている。これらの作像ユニット１０では、各色の現像剤をそれぞれ用いて対応する色のトナー画像が作成される。
【００２１】
作像ユニット１０は、静電潜像担持体としての円筒状の感光体１１を有する。そして、感光体１１の周囲には、その回転方向（時計回り方向）に沿って順に、帯電装置１２、露光装置１３、現像装置１６、１次転写ローラ１４、およびクリーニング装置１５が配置されている。１次転写ローラ１４は中間転写ベルト３０を挟んで感光体１１に圧接し、ニップ部（１次転写領域）を形成している。
【００２２】
中間転写ベルト３０の上側には、イエロー（Ｙ）、マゼンタ（Ｍ）、シアン（Ｃ）、ブラック（Ｋ）の４つのトナー収容容器２０Ｙ、２０Ｍ、２０Ｃ、２０Ｋ（以下、「トナー収容容器２０」と総称することがある）が装置本体１ａに対して着脱自在に配置されている。作像ユニット１０のトナー補給信号によりこれらのトナー収容容器２０から現像装置１６にトナーが補給される。
【００２３】
作像ユニット１０の下部には、給紙装置として給紙カセット４１ａ，４１ｂが着脱可能に配置されている。給紙カセット４１ａ，４１ｂ内に積載収容された用紙Ｐは、給紙カセット４１ａ，４１ｂの近傍に配置された給紙ローラの回転によって最上紙から順に１枚ずつ搬送路Ｒに送り出される。給紙カセット４１から送り出された用紙Ｐは、レジストローラ対４２に搬送され、ここで所定のタイミングで２次転写領域に送り出される。
【００２４】
画像形成装置１は、１色のトナー（例えばブラック）を用いてモノクロ画像を形成するモノクロモードと、４色のトナーを用いてカラー画像を形成するカラーモードとに切り替え可能となっている。
【００２５】
画像形成装置１のカラーモードにおける画像形成動作例について簡単に説明する。まず、各作像ユニット１０において、所定の周速度で回転駆動される感光体１１の外周面が帯電装置１２により帯電される。次に、帯電された感光体１１の表面に、画像情報に応じた光が露光装置１３から投射されて静電潜像が形成される。続いて、この静電潜像は、現像装置１６から供給される現像剤としてのトナーにより顕在化される。
【００２６】
このようにして感光体１１の表面に形成された各色のトナー画像は、感光体１１の回転によって１次転写領域に達すると、イエロー、マゼンタ、シアン、ブラックの順で、感光体１１から中間転写ベルト３０上へ転写（１次転写）されて重ねられる。中間転写ベルト３０に転写されることなく感光体１１上に残った残留トナーは、クリーニング装置１５で掻き取られ、感光体１１の外周面から除去される。
【００２７】
重ね合わされた４色のトナー画像は、中間転写ベルト３０によって２次転写領域に搬送される。一方、そのタイミングに合わせて、レジストローラ対４２から２次転写領域に用紙Ｐが搬送される。そして、４色のトナー画像が、２次転写領域において中間転写ベルト３０から用紙Ｐに転写（２次転写）される。
【００２８】
４色のトナー画像が転写された用紙Ｐは、定着ローラ対４３へ搬送される。定着ローラ対４３において用紙Ｐは、定着ローラと加圧ローラとのニップ部を通過する。この間に用紙Ｐは加熱・加圧され、用紙Ｐ上のトナー画像は用紙Ｐに溶融定着する。トナー画像が定着した用紙Ｐは排出ローラ対４４によって排紙トレイ４５に排出される。
【００２９】
一方、用紙Ｐに転写されることなく中間転写ベルト３０上に残った残留トナーは、クリーニング部３５で掻き取られ、中間転写ベルト３０の外周面から除去される。その後、各感光体１１及び中間転写ベルト３０の回転駆動が停止される。
【００３０】
図２に、図１の画像形成装置１の斜視図を示す。装置本体１ａの前側面には開閉可能な前カバー１０１が設けられている。前カバー１０１を開けることにより作像ユニット１０、トナー収容容器２０、廃トナー容器（不図示）などの着脱が可能となる。前側面の下方には給紙カセット４１ａ，４１ｂが装置本体１ａに対して出入可能に設けられている。給紙カセット４１ａ，４１ｂを前側に引き出すことにより用紙の補給が可能となる。
【００３１】
装置本体１ａの右側面には用紙搬送部を備えた扉１０２が開閉可能に設けられている。中間転写ベルトユニットや定着ユニットの交換、用紙詰まり処理の際にこの扉１０２が開閉される。また、装置本体１ａの前側面は、前述のように操作部１０４が備えられているため、装置本体１ａの左右の側面（左側は不図示）にそれぞれ２個の運搬用の取手装置２ａ，２ｂが配置されている。これらの取手装置２ａ，２ｂの取手本体２１は、装置の側面外装カバー１０５内に収納された収納位置と、側面外装カバー１０５から突出した使用位置とに回動自在とされている。通常は取手本体２１は収納位置とされ、装置の運搬時に収納位置から使用位置に回動される。
【００３２】
図３に、本発明に係る取手装置２の本体側面フレーム１０６への取付を説明する斜視図を示し、図４に、取手本体２１が使用位置のときの状態図を示す。取手装置２は、細長形状の取手本体２１と、断面「コ」字状の保持部材２２とを有する。取手本体２１は収納位置と使用位置とに回動自在に保持部材２２に軸２３によって支持されている。そして、取手本体２１を収納位置としたときに外方に露出する面にはカバー２４が取り付けられている。また、取手本体２１を使用位置としたとき、外方に突出する端部側が把持部２１ａ（図４に図示）となる。一方、保持部材２２の溝底面には開口部２２１が形成されており（図５を参照）、この開口部２２１によって取手本体２１の回動が可能となると同時に、開口部２２１の下面に取手本体２１の当接部２１ｂが当接し、取手本体２１は画像形成装置の重量を支える使用位置となる。
【００３３】
ここで重要なことは、図４に示すように、取手本体２１を使用位置としたとき、軸２３を通る取手本体２１の中心線Ｌが、軸２３を通る水平線ＨＬに対して下方に角度θで傾斜していることである。すなわち、使用位置のときの取手本体２１がこのように下方に角度θで傾斜していることによって、荷重の掛かる方向が画像形成装置の内方となり（図５の拡大断面図の白抜き矢印）、取手本体２１の当接部２１ｂが当接する保持部材２２の被当接部分が変形しても、取手本体２１の脱落が防止される。また、取手本体２１を持つ手が滑っても装置本体１ａの方向に滑るので装置を安全に運搬できるようになる。水平線ＨＬに対する取手本体２１の中心線Ｌの傾斜角度θとしては１０°程度が好ましい。
【００３４】
図３に示すように、本体側面フレーム１０６には、取手本体２１の回動軌跡との干渉を避けるため切欠き穴１０７が形成されている。取手装置２は、開口部２２１と切欠き穴１０７とがおおよそ重なるように本体側面フレーム１０６にネジ等によって取り付けられる。より具体的には、図５に示すように、本体側面フレーム１０６の切欠き穴１０７の下面が保持部材２２の開口部２２１の下面と同じ高さかあるいは若干下方に位置するように、取手装置２は本体側面フレーム１０６に取り付けられる。
【００３５】
開口部２２１の下面の近傍に切欠き穴１０７の下面が位置することによって、取手本体２１の当接部２１ｂが当接する開口部２２１の下面が補強される。また、重量負荷によって開口部２２１の下面が変形した場合であっても切欠き穴１０７の下面で取手本体２１の当接部２１ｂは支えられる。ここで、切欠き穴１０７の少なくとも下面に縁絞り１０７ａが形成されていることにより、切欠き穴１０７の下面による重量負荷を支える剛性が向上する。
【００３６】
また、軸２３の中心から取手本体２１の後端までの距離Ｄ（図５に図示）を短くすると、本体側面フレーム１０６に形成する切欠き穴１０７を小さくすることができ、本体側面フレーム１０６の剛性の低下を抑えることができる。
【００３７】
図６に、本体側面フレーム１６に外装カバー１０５が取り付けられた状態図例を示す。外装カバー１０５には取手装置２を収納する凹部１０５ｂが形成され、取手本体２１が収納位置のとき取手装置２の全体は外装カバー１０５内に没している。このような構成の画像形成装置において、凹部１０５ｂの内壁上面が外側から内側に向かって下方に傾斜した傾斜面１０５ａとされている。これにより、取手本体２１を収納位置から使用位置にする際、取手本体２１あるいは保持部材２２と外装カバー１０５との間で手を挟むことがなくなり安全性が一層向上する。
【００３８】
画像形成装置などの機器における取手装置２の取付位置及び取付個数については、機器のバランスを維持しながら持ち上げることができ安全に運搬できる範囲において特に限定はない。例えば、画像形成装置では取手装置を左右の側面にそれぞれ２個設けるのが望ましい。さらには、画像形成装置の場合、前側が操作部となっているため、後側に駆動ユニットや基板関連が集中して取り付けられており、前側に比べて後側が重くなっている。そこで、図７に示すように、重量の重い後側の取手装置２ｂを前側の取手装置２ａよりも高い位置に配置する。これにより、複数人で画像形成装置を持ち上げる際に、前側を持ち上げすぎてバランスが崩れるのが防止される。
【産業上の利用可能性】
【００３９】
本発明の取手装置では、機器の運搬時などに取手本体を使用位置としたとき、回動軸を通る取手本体の中心線が回動軸を通る水平線に対して下方に傾斜した状態となるので、取手本体の当接部が当接する被当接部分にかかる荷重負荷の方向が機器の内方となり、被当接部分の変形による取手の脱落が防止される。また、取手本体は機器に向かって上方に傾斜した状態となるので、持ち手が滑っても取手本体から外れにくく機器を安全に運搬することができ有用である。
【符号の説明】
【００４０】
１    画像形成装置
２    取手装置
２ａ，２ｂ    取手装置
Ｌ    軸を通る取手本体の中心線
θ    傾斜角
ＨＬ    軸を通る水平線
２１    取手本体
２１ａ  把持部
２１ｂ  当接部
２２    保持部材
２３    軸
１０５ｂ  凹部
１０５ａ  傾斜面
１０６    本体側面フレーム
１０７    切欠き穴（開口部）
【図１】
0006451341.tif 000002
【図２】
0006451341.tif 000003
【図３】
0006451341.tif 000004
【図４】
0006451341.tif 000005
【図５】
0006451341.tif 000006
【図６】
0006451341.tif 000007
【図７】
0006451341.tif 000008